(57)【要約】  筐体（１）を備え、前記筐体（１）内に洗濯ドラムが設けられ、前記洗濯ドラムは、洗濯前槽（２１）および洗濯後槽（２２）を含み、前記洗濯前槽（２１）と前記洗濯後槽（２２）とは密封連結され、前記洗濯前槽（２１）は洗濯後槽（２２）に対して回動可能であり、前記洗濯前槽（２１）はモータ（４）に伴って回動でき、洗濯前槽（２１）がモータ（４）に伴って回動している場合、前記洗濯後槽（２２）は静止している、ドラム式洗濯機。【選択図】図１
2020513196.tif 000002
【特許請求の範囲】
【請求項１】
筐体（１）を備え、前記筐体（１）内に洗濯ドラムが設けられ、前記洗濯ドラムは、洗濯前槽（２１）および洗濯後槽（２２）を含み、前記洗濯前槽（２１）と前記洗濯後槽（２２）とは密封連結され、かつ、前記洗濯前槽（２１）は洗濯後槽（２２）に対して回動可能であり、前記洗濯前槽（２１）はモータ（４）に伴って回動でき、前記洗濯前槽（２１）がモータ（４）に伴って回動している場合、前記洗濯後槽（２２）は静止している、ドラム式洗濯機。
【請求項２】
前記洗濯後槽（２２）の長さは前記洗濯前槽（２１）の長さよりも小さい、請求項１に記載のドラム式洗濯機。
【請求項３】
前記筐体（１）に投入口が設けられ、前記投入口に窓（８）が設けられ、前記洗濯前槽（２１）の前記窓（８）に接近する側に、洗濯ドラムを密封するように構成される密封扉（７）が更に設けられ、前記洗濯前槽（２１）の前記密封扉（７）に接触する側壁または前記密封扉（７）の前記洗濯前槽（２１）に接触する側壁に、密封溝（２１２）が設けられ、前記密封溝（２１２）内に第１のシールリング（６１）が設けられる、請求項１または２に記載のドラム式洗濯機。
【請求項４】
前記密封扉（７）は前記洗濯前槽（２１）に連結される、請求項３に記載のドラム式洗濯機。
【請求項５】
前記洗濯ドラムの中心軸は、水平面に対して傾斜して設けられ、前記中心軸と水平面とのなす角はαであり、０≦α＜９０°である、請求項１に記載のドラム式洗濯機。
【請求項６】
前記洗濯前槽（２１）は無孔構造の槽である、請求項１に記載のドラム式洗濯機。
【請求項７】
前記洗濯前槽（２１）は、回動軸受（１０）を介して前記洗濯後槽（２２）に連結され、前記洗濯前槽（２１）と前記洗濯後槽（２２）との間に第２のシールリング（６２）が設けられる、請求項３に記載のドラム式洗濯機。
【請求項８】
前記洗濯前槽（２１）と前記洗濯後槽（２２）との連結箇所に、断面Ｆ字状の位置制限リング（２１３）が設けられ、
前記位置制限リング（２１３）は、第１の縦位置制限リング本体（２１３１）と、前記第１の縦位置制限リング本体（２１３１）の頂部に設けられた第１の横位置制限リング本体（２１３２）と、前記第１の横位置制限リング本体（２１３２）と平行に設けられた第２の横位置制限リング本体（２１３３）とを含み、
前記第２のシールリング（６２）は、前記第１の横位置制限リング本体（２１３２）と前記第２の横位置制限リング本体（２１３３）との間に設けられ、前記回動軸受（１０）は、前記第１の縦位置制限リング本体（２１３１）、第２の横位置制限リング本体（２１３３）および洗濯後槽（２２）の外壁を組み合わせて形成された空間領域内に設けられる、請求項７に記載のドラム式洗濯機。
【請求項９】
前記第２のシールリング（６２）はリップ状のシールリングである、請求項８に記載のドラム式洗濯機。
【請求項１０】
前記洗濯後槽（２２）に給水孔（２２１）および出水孔（２２２）が設けられ、前記出水孔（２２２）は排水連結管（５）を介して排水弁（５１）に連結される、請求項１に記載のドラム式洗濯機。
【発明の詳細な説明】
【技術分野】
【０００１】
本発明は、洗濯機の技術分野に関し、例えば、ドラム式洗濯機に関する。
【背景技術】
【０００２】
関連技術におけるドラム式洗濯機は、内槽および外槽を備え、洗濯機の槽洗浄において、ユーザは洗濯機の内槽の清潔を保持することができるが、洗濯槽（すなわち、内槽）外に外槽が嵌設されているため、洗濯機の内槽と外槽との間に中間層である洗濯機槽が介在され、洗濯機槽は汚れを受け入れる場所であり、ユーザ自らは、内槽および外槽を取り外して内槽の外壁および外槽の内壁を清掃することができないとともに、洗濯機の動作時に内槽および外槽に残留した水は処理して蒸発しにくく、更に、槽壁での大量の細菌の繁殖を引き起こす。時間が経つほど、汚れの付着が多くなって堅固となり、衣類の二次汚染を引き起こし、消費者の健康にとって深刻な脅威となる。そのため、ユーザは、専門の清掃業者に依頼して洗濯機を定期的に清掃する必要があり、手間がかかる。
【０００３】
そのため、関連技術における洗濯機槽を定期的に清掃する必要があることを解決できる洗濯機の提出は、当業者が解決すべき課題である。
【発明の概要】
【発明が解決しようとする課題】
【０００４】
本発明は、関連技術における洗濯機槽を定期的に清掃する必要がある問題を解決できるドラム式洗濯機を提出する。
【課題を解決するための手段】
【０００５】
筐体を備え、前記筐体内に洗濯ドラムが設けられ、前記洗濯ドラムは、洗濯前槽および洗濯後槽を含み、前記洗濯前槽と前記洗濯後槽とは密封連結され、かつ、前記洗濯前槽は洗濯後槽に対して回動可能であり、前記洗濯前槽はモータに伴って回動でき、前記洗濯前槽がモータに伴って回動している場合、前記洗濯後槽は静止している、ドラム式洗濯機。
【０００６】
本発明における洗濯ドラムは、洗濯前槽および洗濯後槽を含み、洗濯前槽は洗濯後槽に対して回転可能であり、洗濯前槽と前記洗濯後槽とは動的な密封連結を実現し、更に、洗濯ドラム内の洗濯衣類および水を回動させることにより、衣類を持ち上げて落として叩き、衣類を洗濯する作用を奏する。洗濯ドラムには内槽と外槽との区分がないため、洗濯ドラムの外壁が水、特に、洗濯後の水で満たされることがなく、更に、洗濯槽の外壁への汚れの堆積を防止し、洗濯槽の外壁の洗浄不要を実現できるとともに、元に洗濯ドラムの内槽と外槽との間に存在する水を節約し、水を更に節約する。
【０００７】
好ましくは、前記洗濯後槽の長さは洗濯前槽の長さよりも小さい。
【０００８】
洗濯後槽の長さが洗濯前槽の長さよりも小さいことにより、水が十分である場合の回転を確保でき、洗濯の洗浄率を確保する。
【０００９】
好ましくは、前記筐体に投入口が設けられ、前記投入口に窓が設けられ、前記洗濯前槽の前記窓に接近する側に、洗濯ドラムを密封するように構成される密封扉が更に設けられ、前記洗濯前槽の前記密封扉に接触する側壁または前記密封扉の前記洗濯前槽に接触する側壁に、密封溝が設けられ、前記密封溝内に第１のシールリングが設けられる。
【００１０】
密封扉、密封溝および第１のシールリングは、洗濯前槽を密封し、洗濯前槽の回動中に洗濯水の流出を防止し、洗濯機の洗濯タスクを完了できることを確保し、洗濯機を水漏れによる漏電、短絡等の故障から保護するために設けられた。
【００１１】
好ましくは、前記密封扉が前記洗濯前槽に連結される。
【００１２】
密封扉が洗濯前槽に連結されることにより、密封扉と窓とを分離することができ、洗濯機の回転動作時に、密封扉は洗濯前槽に伴って回動し、窓と洗濯前槽との間の密封効果が悪いという問題を効果的に解決することができる。
【００１３】
好ましくは、前記筐体に給水弁が設けられ、前記給水弁は給水管を介して洗剤ケースに連結され、前記洗剤ケースは注水管を介して前記給水孔に連結される。
【００１４】
好ましくは、前記洗濯ドラムの中心軸は、水平面に対して傾斜して設けられ、前記中心軸と水平面とのなす角はαであり、かつ、０≦α＜９０°である。
【００１５】
傾斜型のドラム式洗濯機はユーザのニーズにより良好に適応し、腰をかがめずに衣類を取り出すことができる。ドラムは水平面に対して一定の傾斜角を有し、衣類を出し入れしやすいことが実現できる。
【００１６】
好ましくは、前記洗濯前槽は無孔構造の槽である。
【００１７】
好ましくは、前記洗濯後槽の内側壁に少なくとも１本のバッフルが設けられる。
【００１８】
洗濯後槽の内部に複数本のバッフルが設けられることにより、内部の衣類はより良好に持ち上げられ、落とされ、叩かれて洗濯される。
【００１９】
好ましくは、前記洗濯前槽は、回動軸受を介して前記洗濯後槽に連結され、前記洗濯前槽と前記洗濯後槽との間に第２のシールリングが設けられる。
【００２０】
好ましくは、前記洗濯前槽と前記洗濯後槽との連結箇所に、断面Ｆ字状の位置制限リングが設けられ、
前記位置制限リングは、第１の縦位置制限リング本体と、前記第１の縦位置制限リング本体の頂部に設けられた第１の横位置制限リング本体と、前記第１の横位置制限リング本体と平行に設けられた第２の横位置制限リング本体とを含み、
前記第２のシールリングは、前記第１の横位置制限リング本体と前記第２の横位置制限リング本体との間に設けられ、前記回動軸受は、前記第１の縦位置制限リング本体、第２の横位置制限リング本体および洗濯後槽の外壁を組み合わせて形成された空間領域内に設けられる。
【００２１】
シールリングは、第１の横位置制限リング本体と前記第２の横位置制限リング本体との間に設けられ、すなわち、シールリングは、第１の横位置制限リング本体、第２の横位置制限リング本体、第１の縦位置制限リング本体および下槽で形成された矩形の閉鎖空間内に設けられ、回動軸受は、前記第１の縦位置制限リング本体、第２の横位置制限リング本体および下槽の外壁を組み合わせて形成された空間領域内に設けられる。このような設置により、良好な密封性を果たすことができるだけでなく、それとともに、洗濯前槽に対する洗濯後槽の回転も確保できる。
【００２２】
好ましくは、前記第２のシールリングはリップ状のシールリングである。
【００２３】
リップ状のシールリングは自己密封作用を有し、動作圧力でリップ部に作用することにより、リップ部は密封結合面を押さえ、更に摩耗量を自動的に補償することができ、良好な密封性を有する。
【００２４】
好ましくは、前記洗濯後槽に給水孔および出水孔が設けられ、前記出水孔は排水連結管を介して排水弁に連結される。
【発明の効果】
【００２５】
洗濯後槽が回動しないため、給水孔および出水孔を洗濯後槽に設けても、連結箇所が位置合わせできない、または位置合わせした後に水が漏れるという問題は現れない。
【図面の簡単な説明】
【００２６】
【図１】実施例１に係るドラム式洗濯機の構造模式図である。
【図２】図１におけるＡ箇所の部分拡大図である。
【図３】図１におけるＢ箇所の部分拡大図である。
【図４】実施例２に係るドラム式洗濯機の構造模式図である。
【図５】図４におけるＣ箇所の部分拡大図である。
【図６】図４におけるＣ箇所の他の実施例における部分拡大図である。
【符号の説明】
【００２７】
１          筐体
１１        前面板
１２        シャーシ
１３        支持脚
１４        上台板
１５        リアプレート
２１        洗濯前槽
２１１      バッフル
２１２      密封溝
２１３      位置制限リング
２１３１    第１の縦位置制限リング本体
２１３２    第１の横位置制限リング本体
２１３３    第２の横位置制限リング本体
２２        洗濯後槽
２２１      給水孔
２２２      出水孔
３          ベルト
４          モータ
５          排水連結管
５１        排水弁
５２        排水管
６１        第１のシールリング
６２        第２のシールリング
７          密封扉
８          窓
９          洗剤ケース
９１        注水管
９２        給水弁
９３        給水管
１０        回動軸受
【発明を実施するための形態】
【００２８】
実施例１
図１〜３に示すように、本実施例は、洗濯槽の外壁または内壁上の汚れを定期的に清掃する必要がなく、且つ、水を更に節約できるドラム式洗濯機を提供する。該ドラム式洗濯機は、筐体１を備え、筐体１内に衣類を回動して洗浄するための洗濯ドラムが設けられ、洗濯ドラムは、洗濯前槽２１および洗濯後槽２２を含み、洗濯前槽２１は洗濯後槽２２に動的に密封連結され、且つ、洗濯前槽２１は洗濯後槽２２に対して回動可能であり、洗濯前槽２１の回動中に、洗濯後槽２２は静止し、洗濯ドラム内の水が洗濯前槽２１に伴って回動することを確保でき、衣類を洗濯する作用を奏する。洗濯前槽２１はベルト３を介してモータ４に連結され、且つ、洗濯前槽２１はモータ４に伴って回動でき、すなわち、ベルト３はモータ４の回動に伴って回動する。モータ４が洗濯前槽２１を回動させる時に、洗濯後槽２２は静止し、洗濯後槽２２が静止するため、注水も排水も位置決めする必要がなく、そのため、本実施例における洗濯後槽２２に給水孔２２１および出水孔２２２が設けられ、出水孔２２２は排水連結管５を介して排水弁５１に連結される。洗濯が完了した後、汚水は出水孔２２２および排水弁５１を介して排水管５２に入り、洗濯機外へ排出される。
【００２９】
洗濯ドラム内の水を洗濯前槽２１に伴って回動させるために、本実施例において、洗濯後槽２２の長さｈは洗濯前槽２１の長さＨよりも小さい。ここで、洗濯後槽２２の長さをできるだけ小さくしてもよいが、該洗濯後槽２２の長さは出水孔２２２および給水孔２２１の設置に影響を与えないように注意する必要がある。該洗濯後槽２２は、ばねまたはダンパによって筐体１内に柔軟に固定されてもよく、筐体１内に完全に堅くて強固に固定されてもよい。
【００３０】
本実施例において、洗濯後槽２２および洗濯前槽２１はいずれも無孔構造槽であり、すなわち、洗濯後槽および洗濯前槽の側壁にいずれも孔が設けられず、洗濯後槽２２に給水孔２２１および出水孔２２２が設けられる。このような構造により、洗濯前槽２１が回転後に位置決めしなくても注水または排水することができることは確保できる。水が側壁孔から流出することによる槽壁の汚れの堆積を防止でき、更に水を節約することもできる。それと同時に、洗濯前槽２２および洗濯後槽２１の槽外に水が浸み込むことがなく、更に、洗濯前槽２１が回転中に孔内を通過する水の抵抗を受けることがなく、回転をよりスムーズにさせる。
【００３１】
それと同時に、洗濯前槽２１は無孔構造槽であり、給水が完了した後、排水ポンプまたは排水弁は起動されずに密封状態にあり、洗剤および洗濯水は全て洗濯前後槽内に密封され、洗濯衣類も洗濯前後槽内に配置される。このような構造により、水槽と洗濯物槽との一体設計が実現でき、水が洗濯槽の外壁に流出することによる汚外壁の汚れの蓄積を防止するとともに、水を節約することもできる。
【００３２】
筐体１の一側に投入口が設けられ、投入口に窓８が設けられ、洗濯前槽２１の窓８に接近する側に、洗濯ドラムを密封するための密封扉７が更に設けられ、密封扉７は洗濯前槽２１とヒンジで連結され、密封扉７が開けることは確保できる。洗濯前槽２１の密封扉７に接触する側壁または密封扉７の洗濯前槽２１に接触する側壁に密封溝２１２が設けられ、密封溝２１２内に第１のシールリング６１（図２参照）が設けられる。それにより、密封扉７が閉じられた後、洗濯前槽２１との間は静的な密封を実現でき、洗濯ドラムに水漏れの問題がないように確保する。ユーザが窓８を開いてから密封扉７を開ければ、洗濯衣類の出し入れを実現できる。
【００３３】
もちろん、他の実施例において、密封扉７が窓８に連結され、密封扉７が窓８に対して回動可能であってもよく、すなわち、密封扉７と窓８とは軸により連結され、密封扉７は洗濯前槽２１の前端を塞ぐことができ、密封扉７と洗濯前槽２１との両者で密封室を形成するようにさせ、洗濯水の流出を防止する。このように、窓８を開くと、密封扉７を共に開くことができ、洗濯衣類の出し入れを実現し、ユーザは洗濯機を更に使用しやすくなる。
【００３４】
上記洗濯前槽２１の内側壁に少なくとも１本のバッフル２１１が設けられる。バッフル２１１を設ける目的は、洗濯中にバッフルによって衣類を持ち上げてから急速に落とすことにより、内部の衣類はより良好に持ち上げられ、落とされ、叩かれて洗濯されることである。
【００３５】
洗濯後槽２２と洗濯前槽２１とが相対回動できることを確保するために、本実施例において、洗濯後槽２２と前記洗濯前槽２１とは回動軸受１０により連結され、ここで、前記洗濯後槽２２は前記回動軸受１０の内輪に嵌設され、前記洗濯前槽２１は前記回動軸受１０の外輪に嵌合され、前記洗濯前槽２１と前記洗濯後槽２２との間に第２のシールリング６２が設けられる。
【００３６】
図３に示すように、洗濯前槽２１と洗濯後槽２２との間の連結箇所における水漏れの発生を防止するために、前記洗濯前槽２１と前記洗濯後槽２２との連結箇所に、断面Ｆ字状の位置制限リング２１３が設けられ、ここで、前記位置制限リング２１３は、第１の縦位置制限リング本体２１３１と、前記第１の縦位置制限リング本体２１３１の頂部に設けられた第１の横位置制限リング本体２１３２と、前記第１の横位置制限リング本体２１３２と平行に設けられた第２の横位置制限リング本体２１３３とを含み、前記第２のシールリング６２は、前記第１の横位置制限リング本体２１３２と前記第２の横位置制限リング本体２１３３との間に設けられ、前記回動軸受１０は、前記第１の縦位置制限リング本体２１３１、第２の横位置制限リング本体２１３３および洗濯後槽２２外壁を組み合わせて形成された空間領域内に設けられる。前記第２のシールリング６２はリップ状のシールリングである。位置制限リング２１３と洗濯前槽２１とは一体構造であり、このような構造により、洗濯前槽２１と位置制限リング２１３との間の密封性はより良くなることができる。
【００３７】
洗濯前槽２１と洗濯後槽２２とは回動軸受１０により連結され、洗濯前槽２１が洗濯後槽２２に対して回転することを効果的に確保できるとともに、洗濯後槽２２と洗濯前槽２１との間にシールリングが設けられ、洗濯ドラム内の水がドラム外へ流出して洗濯機の動作に影響を与えることを防止できる。
【００３８】
洗濯前槽２１が回転時に、低速洗濯にある場合、回転速度は０〜２００回転／分であり、高速脱水絞りにある場合、回転速度は６００〜１８００回転／分である。上記第２のシールリング６２はリップ状のシールリングであってもよく、このようなシールリングは自己密封作用を有し、動作圧力でリップ部に作用することにより、リップ部は密封結合面を押さえ、更に摩耗量を自動的に補償することができる。上記動作圧力は、洗濯前槽２１および洗濯後槽２２の予圧力、洗濯前槽２１自体の重力、および内部液体の動作圧力に由来する。第２のシールリング６２の種類はＹ字形、Ｖ字形、Ｕ字形、Ｊ字形またはＬ字形であってもよい。
【００３９】
洗濯前槽２１と洗濯後槽２２との回動連結（動的連結）は軸受連結であり、洗濯前槽２１および洗濯後槽２２はそれぞれ軸受の外輪と内輪に連結され、ここで、回動軸受の選択可能な種類は多様であり、上記回動軸受９は、玉軸受、ころ軸受のような全ての軸受を含む。本実施例において、軸受の類型は、円錐ころ軸受、円筒ころ軸受または玉軸受等であってもよい。本実施例において円錐ころ軸受を使用し、ここで、該円錐ころ軸受は、軸受の内輪、軸受ホルダ、円錐ころ、および軸受の外輪を備える。
【００４０】
図１に示すように、該ドラム式洗濯機は注水時に、水が筐体１に設けられた給水弁９２を介して洗濯機内に入り、ここで、給水弁９２は水道管路に連結され、前記給水弁９は給水管９３を介して洗剤ケース９に連結され、前記洗剤ケース９は注水管９１を介して前記給水孔２２１に連結される。水道水は、給水弁９２、給水管９３および洗剤ケース９を順次経てから洗濯後槽２２内に入る。
【００４１】
該筐体１の底部にシャーシ１２が更に設けられ、シャーシ１２の底部に洗濯機全体を支持するための支持脚１３が設けられ、筐体１の頂部に上台板１４が設けられる。
【００４２】
実施例２
本実施例において、実施例１との異なる点は、洗濯ドラムの中心軸が水平面に対して傾斜して設けられることである。
【００４３】
図４に示すように、衣類を出し入れしやすいことを実現するために、洗濯ドラムの中心軸は水平面に対して傾斜して設けられ、洗濯ドラムの中心軸と水平面とのなす角はαであり、かつ、０≦α＜９０°である。
【００４４】
図５に示すように、該実施例において、回動軸受１０は円筒ころ軸受である。もちろん、他の実施例において、玉軸受（図６参照）であってもよい。
【産業上の利用可能性】
【００４５】
本発明のドラム式洗濯機は、洗濯槽の外壁または内壁上の汚れを定期的に清掃する必要がなく、水を更に節約する。
【図１】
2020513196.tif 000003
【図２】
2020513196.tif 000004
【図３】
2020513196.tif 000005
【図４】
2020513196.tif 000006
【図５】
2020513196.tif 000007
【図６】
2020513196.tif 000008
【国際調査報告】
2020513196.tif 000009
2020513196.tif 000010
2020513196.tif 000011
2020513196.tif 000012